(57)【特許請求の範囲】
【請求項１】
複数の中継装置を経由して端末間で呼の発着信を実現する通信システムに適用され、呼の発着のための信号が異常の発生によりエラー信号に変更すると、当該異常を解析する通信解析装置であって、
前記端末間で呼の成立に中継される複数の中継装置で送受信された信号を取得し、解析対象であるエラー信号を抽出する抽出部と、
抽出されたエラー信号と、当該エラー信号に関連して発信元の端末と着信先の端末との呼の成立のために複数の中継装置間で送受信された全ての信号を収集し、前記発信元の端末と前記着信先の端末との間における信号のシーケンス図を作成するシーケンス作成部と、
を有することを特徴とする通信解析装置。
【請求項２】
前記シーケンス作成部で作成されたシーケンス図を記憶する既知データ記憶部をさらに備え、
前記シーケンス作成部は、新たに生成されたシーケンス図が前記既知データ記憶部に含まれないとき、当該新たに生成されたシーケンス図を前記既知データ記憶部に追加するとともに、出力装置に出力する
ことを特徴とする請求項１に記載の通信解析装置。
【請求項３】
前記シーケンス作成部は、抽出された複数のエラー信号のうち、所定の時間内に発生した所定数以上の各エラー信号については、シーケンス図の作成対象から除外する
ことを特徴とする請求項１又は２に記載の通信解析装置。
【請求項４】
前記シーケンス作成部は、抽出された複数のエラー信号のうち、同一条件の所定数以上の各エラー信号については、シーケンス図の作成対象から除外する
ことを特徴とする請求項１乃至３のいずれか記載の通信解析装置。
【請求項５】
送受信された時刻と関連付けられるエラーデータ記憶部をさらに備え、
前記シーケンス作成部は、時刻の範囲を含む作成リクエストを入力すると、当該時刻の範囲と関連付けられるエラー信号をシーケンス図の作成対象とする
ことを特徴とする請求項１乃至４のいずれか記載の通信解析装置。
【請求項６】
前記抽出部で抽出されたエラー信号の識別子を含む一覧データを表示する一覧表示部をさらに備え、
前記シーケンス作成部は、前記一覧データから選択された識別子で特定されるエラー信号をシーケンス図の作成対象とする
ことを特徴とする請求項１乃至４のいずれか記載の通信解析装置。
【請求項７】
複数の中継装置を経由して端末間で呼の発着信を実現する通信システムに適用され、呼の発着のための信号が異常の発生によりエラー信号に変更すると、当該異常を解析する通信解析方法であって、
前記端末間で呼の成立に中継される複数の中継装置で送受信された信号を取得し、解析対象であるエラー信号を抽出するステップと、
抽出されたエラー信号と、当該エラー信号に関連して発信元の端末と着信先の端末との呼の成立のために複数の中継装置間で送受信された全ての信号を収集するステップと、
前記発信元の端末と前記着信先の端末との間における信号のシーケンス図を作成するステップと、
を有することを特徴とする通信解析方法。
【発明の詳細な説明】
【技術分野】
【０００１】
本発明は、通信システムにおける呼制御ソフトウェアの問題を解析する通信解析装置及び通信解析方法に関する。
【背景技術】
【０００２】
近年、様々な通信サービスが提供されている。例えば、IP化により、呼制御と音声と映像・データ通信を組み合わせたマルチメディアサービスを提供するIMS(IP Multimedia Subsystem)が3GPP(3rd Generation Partnership Project)によって策定及び標準化され、NGN(Next Generation Network)のアーキテクチャに採用された（例えば、非特許文献１参照）。
【０００３】
NGNでは、呼制御プロトコルとしてSIP(Session Initiation Protocol)が適用され既に実用化されている。今後のさらなる高度サービスの実現に向け、SIPを用いた各種高度サービス化を図ったアプリケーションの開発が進められている。
【０００４】
SIP等を用いた高度サービスでは、ソフトウェア開発における検証段階で過負荷試験やエンド―エンド通信によるシステム全体による長時間安定試験等が行われ、ソフトウェアの品質向上を図るとともに、運用時に発生するソフトウェアの問題を短時間で解決する必要がある。このような開発時や運用時の異常発生時の信号等を解析する場合、エンド・エンドのシーケンス図を利用することにより、効率的に解析を進められる。
【０００５】
このような通信システムでの異常発生時の解析は、運用時の輻輳による多量の呼の発生状態や、開発検証での過負荷試験のため大量の背景呼の発生状態を考慮して実施する。なお、「背景呼」とは、試験呼とは異なる呼でバックグラウンドで大量に流している呼である。また、これに加え、通信システムのエンド端末から加入者収容呼制御装置及び中継呼制御装置等のノードの広範囲に及んだ解析が必要であり、一度、異常が発生するとこの複雑性から、解析に多大な稼働や時間を要する。
【先行技術文献】
【非特許文献】
【０００６】
【非特許文献１】「3GPP TS 23.228 V12.2.0 (2013-09)Technical Specification  3rd Generation Partnership Project;  Technical Specification Group Services and System Aspects;IP Multimedia Subsystem (IMS)」、［2014年2月  日検索］、インターネット（URL：http://www.3gpp.org/DynaReport/23228.htm）
【発明の概要】
【発明が解決しようとする課題】
【０００７】
上述したように、通信システムでの異常発生時の原因の解析は複雑であり、解析には長い時間を要していた。
【０００８】
上記課題に鑑み、本発明は、通信システムの異常を容易に解析することを目的とする。
【課題を解決するための手段】
【０００９】
上記目的を達成するために、本発明に係る通信解析装置は、複数の中継装置を経由して端末間で呼の発着信を実現する通信システムに適用され、呼の発着のための信号が異常の発生によりエラー信号に変更すると、当該異常を解析する装置であって、端末間で呼の成立に中継される複数の中継装置で送受信された信号を取得し、解析対象であるエラー信号を抽出する抽出部と、抽出されたエラー信号と、当該エラー信号に関連して発信元の端末と着信先の端末との呼の成立のために複数の中継装置間で送受信された全ての信号を収集し、発信元の端末と着信先の端末との間における信号のシーケンス図を作成するシーケンス作成部とを有することを特徴とする。
【発明の効果】
【００１０】
本発明によれば、通信システムの異常を容易に解析することができる。
【図面の簡単な説明】
【００１１】
【図１】図１は、通信システムを説明する概略図である。
【図２】図２は、実施形態に係る通信解析装置の構成を説明するブロック図である。
【図３】図３は、図２の通信解析装置が利用するキャプチャデータの一例である。
【図４】図４は、図３のキャプチャデータが含むエラー信号の一例である。
【図５】図５は、図２の通信解析装置で記憶されるデータの一例である。
【図６】図６は、図２の通信解析装置がエラーデータを記憶する処理の一例を説明するフローチャートである。
【図７】図７は、図２の通信解析装置が一覧データを表示する際の処理の一例を説明するフローチャートである。
【図８】図８は、図２の通信解析装置がシーケンス図を表示する際の処理の一例を説明するフローチャートである。
【図９】図９は、図２の通信解析装置がシーケンス図の作成対象のエラー信号を抽出する処理の一例を説明するフローチャートである。
【図１０】図１０は、図２の通信解析装置で生成されるシーケンス図の一例である。
【発明を実施するための形態】
【００１２】
以下に、図面を用いて本発明の実施形態に係る通信解析装置及び通信解析方法について説明する。実施形態に係る通信解析装置は、ＮＧＮを実現する通信システムにおいて、ソフトウェアの問題が発生した際、その原因を解析するものである。なお、以下の説明において、同一の構成については同一の符号を付して説明を省略する。
【００１３】
〈発明の背景〉
一般的な通信システムでの異常の解析として、例えば、図１に示すようなシーケンス作成装置１０ａ〜１０ｃを用いることができる。ここで、異常の解析の対象である通信システムは、端末２０ａ，２０ｂ間をエンド・エンドとし、この端末２０ａ，２０ｂ間に、端末２０ａ，２０ｂによる接続を実現する複数のＳＩＰサーバ３０ａ〜３０ｃが配置される。なお、第１ＳＩＰサーバ３０ａ及び第３ＳＩＰサーバ３０ｃは、「加入者呼制御装置」に含まれ、第２ＳＩＰサーバ３０ｂは、「中継呼制御装置」に含まれる。また、端末２０ａ，２０ｂは、検証試験用の端末であってもよいし、一般ユーザが利用する通話用の端末であってもよい。
【００１４】
図１に示す方法では、シーケンス作成装置１０ａ〜１０ｃは、それぞれ、各ＳＩＰサーバ３０ａ〜３０ｃの出入り口の信号をモニタリングしたデータを記憶するキャプチャデータベース４０ａ〜４０ｃから取得したデータを利用して、各ＳＩＰサーバ３０ａ〜３０ｃの通信状態を表すシーケンス図を作成する。また、各シーケンス作成装置１０ａ〜１０ｃが収集したシーケンス図を合わせて、通信システムでの異常を解析することもできる。
【００１５】
まず、このように作成された複数のシーケンス図から正常時のシーケンス図と異常時のシーケンス図を区別する作業が必要になる。また、各ＳＩＰサーバ３０ａ〜３０ｃで作成された複数のシーケンス図を試験者等が目視で比較し、エンド・エンド間である端末２０ａ，２０ｂ間の通信システム全体の異常時のシーケンスを整合させる必要がある。さらに、異常時のシーケンス図でも既に問題を登録済みのものや、また既に解決済みのものを含む場合がある。このようなシーケンス図を除外した新規の異常時のシーケンス図を抽出することが重要になる。
【００１６】
〈実施形態〉
図２に示すように、実施形態に係る通信解析装置１０は、一台の装置で、通信システムの異常を解析することができる。通信解析装置１０は、中継装置である各ＳＩＰサーバ３０ａ〜３０ｃが有する呼情報記憶部３１ａ〜３１ｃと、キャプチャＤＢ４０ａ〜４０ｃと接続されている。上述したように、第１ＳＩＰサーバ３０ａ及び第３ＳＩＰサーバ３０ｃは、加入者呼制御装置であって、第２ＳＩＰサーバ３０ｂは、中継呼制御装置である。なお、図２に示す例では、通信システムは、一台の中継呼制御装置のみを備える例を示すが、複数の中継呼制御装置を中継して端末２０ａ、２０ｂ間の呼が成立される構成でもよい。
【００１７】
第１呼情報記憶部３１ａは、第１ＳＩＰサーバ３０ａの課金等に利用される呼詳細情報（呼情報）を記憶する。また、第２呼情報記憶部３１ｂは、第２ＳＩＰサーバ３０ｂの課金等に利用される呼詳細情報を記憶し、第３呼情報記憶部３１ｃは、第３ＳＩＰサーバ３０ｃの課金等に利用される呼詳細情報を記憶する。呼詳細情報は、例えば、呼を特定する「Ｃａｌｌ ＩＤ」、呼による通話の開始と終了の時刻を特定する「通話開始終了時刻」、呼の発信元を特定する「発信番号」、呼の着信先を特定する「着信番号」等のデータを含む。
【００１８】
第１キャプチャＤＢ４０ａは、第１ＳＩＰサーバ３０ａに出入りする各信号を取得し、各信号が正常又は異常（エラー）のいずれかであったかを解析し、その解析結果に関するデータを記憶する。図３（ａ）に示すように、第１ＳＩＰサーバ３０ａに記憶されるデータによれば、正常信号が送受信され、また、エラー信号１が送受信されたことがわかる。
【００１９】
また、第２キャプチャＤＢ４０ｂは、第２ＳＩＰサーバ３０ｂに出入りする信号が正常又は異常のいずれであったかを解析したデータ（図３（ｂ））を記憶する。さらに、第３キャプチャＤＢ４０ｃは、第３ＳＩＰサーバ３０ｃに出入りする信号が正常又は異常のいずれであったかを解析したデータ（図３（ｃ））を記憶する。
【００２０】
各エラー信号は、例えば、図４に示すように、エラーの種別を特定する「エラー番号」、呼の発信元を特定する「発信番号」、呼の着信先を特定する「着信番号」、呼を特定する「Ｃａｌｌ ＩＤ」、信号の送受信された時刻を特定する「エラー信号送受時間」、呼を送信した装置の識別子である「エラー信号送信装置」、呼を受信する装置の識別子である「エラー信号受信装置」を含む。
【００２１】
通信解析装置１０は、図２に示すように、制御部１０１、フィルタリング部１０２、一覧表示部１０３、シーケンス作成部１０４を有する。具体的には、通信解析装置１０は、ＣＰＵ１００、記憶装置１１０、操作信号を入力するキーボードやマウス等の入力装置１２０、操作画面や処理結果を出力するディスプレイやプリンタ等の出力装置１３０、通信インタフェース１４０等を有する情報処理装置である。記憶装置１１０に記憶される解析プログラムＰが実行されることで、ＣＰＵ１００が、制御部１０１、フィルタリング部１０２、一覧表示部１０３、シーケンス作成部１０４として処理を実行する。また、これにより、記憶装置１１０にエラーデータＤ１、既知データＤ２を記憶する。
【００２２】
フィルタリング部１０２は、定期的等の所定のタイミングで、各キャプチャＤＢ４０ａ〜４０ｃに記憶される信号データを取得する。ここで、フィルタリング部１０２は、過去に取得していない全ての信号データを取得する。また、フィルタリング部１０２は、信号データを取得すると、この信号データからエラー信号のデータを抽出し、エラーデータＤ１として記憶装置１１０に記憶する。エラー信号は、例えば、ＳＩＰでのエラー信号である４ＸＸ（リクエストエラー）や５ＸＸ（サーバエラー）等の信号である。
【００２３】
一覧表示部１０３は、入力装置１２０を介してエラー信号のリストである一覧データの表示を要求する表示リクエスト信号が入力されると、一覧データを生成し、出力装置１３０に出力する。このとき、表示リクエスト信号は、表示対象のエラー信号の時刻を含む。また、一覧データは、例えば、エラー信号の識別子、エラー信号の内容、エラー信号が送受信された時刻等を含む。この一覧データにより、エラー信号が発生した時刻及びどのような種別のエラーが発生したかを把握することができる。
【００２４】
シーケンス作成部１０４は、入力装置１２０を介して異常の詳細を表すシーケンス図の作成を要求する作成リクエスト信号が入力されると、通信システムで送受信された対象の信号と関連して送受信された信号を収集し、シーケンス図を作成する。また、作成リクエスト信号は、作成対象のシーケンス図が対象とする異常が発生した時刻を含む。又は、作成リクエスト信号は、一覧表示部１０３が表示した一覧データに含まれるエラー信号の識別子を含んでもよい。シーケンス作成部１０４は、この作成リクエスト信号で特定されるエラー信号に関するシーケンス図を作成する。ここで、エラー信号リストｄ１に必要な信号を含まないとき、シーケンス作成部１０４は、呼情報記憶部３１ａ〜３１ｃにアクセスし、必要な情報を取得し、エラー信号に含める。
【００２５】
ここで、シーケンス作成部１０４は、「Ｃａｌｌ ＩＤ」が１Ｃａｌｌ内で同じ場合は、「Ｃａｌｌ ＩＤ」、「通話開始終了時刻」、「発着電話番号」をキーにして呼を特定し、シーケンス図を作成する。また、Ｂ２ＢＵＡ（Back-to-Back User Agent）で「Ｃａｌｌ ＩＤ」が同じでない場合は、「Ｃａｌｌ ＩＤ」、「From-tag」をキーにして呼を特定し、シーケンスを作成する。
【００２６】
制御部１０１は、フィルタリング部１０２、一覧表示部１０３及びシーケンス作成部１０４の制御と各種の比較判定を実行する。
【００２７】
エラーデータＤ１は、図５（ａ）に一例を示すように、エラー信号のリストであるエラー信号リストｄ１と、シーケンス図のリストであるシーケンスリストｄ２とを含む。なお、このシーケンス図は、自律定期起動時等の所定のタイミングでシーケンス作成部１０４で作成される。
【００２８】
また、既知データＤ２は、図５（ｂ）に一例を示すように、既知のエラー信号のリストである既知エラー信号リストｄ３と、既知のシーケンス図のリストである既知シーケンスリストｄ４とを含む。既知のエラー信号とは、過去に発生したエラーに関する信号である。
【００２９】
以下に、通信解析装置１０で実行される各処理について説明する。
【００３０】
［エラーデータ生成処理］
図６に示すように、フィルタリング部１０２は、各キャプチャＤＢ４０ａ〜４０ｃから、信号データを取得する（Ｓ０１）。
【００３１】
続いて、フィルタリング部１０２は、取得したデータから、エラー信号を抽出する（Ｓ０２）。エラー信号とは、ＳＩＰの場合、ステータスコードが4XX(リクエストエラー)や5XX(サーバエラー)である。
【００３２】
その後、フィルタリング部１０２は、取得したエラー信号のリストをエラー信号リストｄ１として生成し、このエラー信号リストｄ１を記憶装置１１０に記憶する（Ｓ０３）。
【００３３】
［一覧表示処理］
図７に示すように、一覧表示部１０３は、入力装置１２０を介して入力された一覧データの表示を要求する表示リクエストを入力する（Ｓ１１）。この表示リクエストは、一覧データで表示対象のエラー信号の時刻の範囲を含む。
【００３４】
続いて、一覧表示部１０３は、表示リクエストに含まれる時刻に送受信されたエラー信号を抽出する（Ｓ１２）。
【００３５】
その後、一覧表示部１０３は、抽出したエラー信号をリスト化した一覧データを生成する（Ｓ１３）。このとき、一覧表示部１０３は、生成した一覧データを記憶装置１１０に記憶してもよい。
【００３６】
また、一覧表示部１０３は、生成した一覧データを出力装置１３０に表示する（Ｓ１４）。
【００３７】
［シーケンス生成処理］
図８に示すように、シーケンス作成部１０４は、エラーのシーケンス図の作成を要求する作成リクエストを入力する（Ｓ２１）。例えば、作成リクエストは、入力装置１２０を介してユーザに入力される。又は、作成リクエストは、予め設定された定期的等の所定のタイミングで、入力装置１２０制御部１０１を介して入力される。また、この作成リクエストは、作成が希望されるシーケンス図が対象とするエラー信号の時刻の範囲、又は、一覧データが含むエラー信号の識別子を含む。
【００３８】
シーケンス作成部１０４は、エラー信号リストｄ１からシーケンス図を作成する対象のエラー信号を抽出する（Ｓ２２）。この対象のエラー信号を抽出する処理については、図９に示すフローチャートを用いて後述する。
【００３９】
その後、シーケンス作成部１０４は、抽出したエラー信号の呼を特定する（Ｓ２３）。ここで、シーケンス作成部１０４は、特定できない呼については、呼情報記憶部３１ａ〜３１ｃにアクセスし、シーケンス作成対象のエラー信号の「通話開始終了時刻」、「発信番号」及び「発信番号」から呼を特定し、抽出対象であるか否かを判断する。
【００４０】
具体的には、対象とする呼の信号を複数ＳＩＰサーバに跨る呼の発端末２０ａから着端末２０ｂまでについて関連する全てのＳＩＰサーバ３０ａ〜３０ｃについて取得し、エンド・エンドのシーケンス図を作成する。その際、Ｃａｌｌ ＩＤが１ｃａｌｌ内で同じ場合、上述したように「Ｃａｌｌ ＩＤ」をキーにして信号を特定する。一方、Ｂ２ＢＵＡ（Back-to-Back User Agent）のようにＣａｌｌ ＩＤが同じでない場合は、「Ｃａｌｌ ＩＤ」とともに「From-tag」をキーにして複数サーバに跨る呼を特定する。
【００４１】
その後、シーケンス作成部１０４は、対象のキャプチャＤＢ４０ａ〜４０ｃにアクセスし、ステップＳ２３で特定した呼に関する信号を取得する（Ｓ２４）。また、他に関連対向ＳＩＰサーバがあるか否かを判定し、関連対向ＳＩＰサーバがある限り（Ｓ２５でＹＥＳ）、ステップＳ２４の処理を繰り返す。ここで、関連対向ＳＩＰサーバとは、対象の呼に関する信号が経由する場合の隣接するＳＩＰサーバであり、例えば、図２に示す例では、端末２０ａから端末２０ｂとの間で信号が送受信される場合に、第１ＳＩＰサーバ３０ａの対向サーバは、第２ＳＩＰサーバ３０ｂになる。また、第２ＳＩＰサーバ３０ｂの対向サーバは、第１ＳＩＰサーバ３０ａ及び第３ＳＩＰサーバ３０ｃになる。
【００４２】
呼の発信元の端末２０ａから着信先の端末２０ｂまで、通過した全てのＳＩＰサーバ３０ａ〜３０ｃの信号を取得し、エンド・エンドのシーケンス図を作成する（Ｓ２６）。
【００４３】
図１０に、シーケンス作成部１０４に作成されたシーケンス図の一例を示す。図１０は、発信元の端末（発端末）２０ａ、着信先の端末（着端末）２０ｂ、ＳＩＰサーバ３０ａ〜３０ｃを含む通信システムにおける通信状態を示すシーケンス図である。ここでは、発端末２０ａから発呼したが着端末２０ｂが恒久的に場所を移動したため、３０１（Moved Permanently）を返し、着側の第３ＳＩＰサーバ３０ｃが発側に対して ５０３（Service Unavailable）で切断する場合のシーケンス図である。このようなシーケンス図の作成により、エラーが発生しているのが、着端末２０ｂで恒久的に場所を移動しているという状態を容易に把握できる。
【００４４】
次に、シーケンス作成部１０４は、作成したシーケンス図を既知シーケンスリストｄ４に含まれる各既知シーケンス１〜ｎと比較し、同一又は類似であるかにより、過去に発生したエラーであるか否かを判定する（Ｓ２７）。シーケンス作成部１０４は、完全一致でなくて類似の場合であっても既知のシーケンス図と同等と扱う。類似の例として、例えば、信号が経由するＳＩＰサーバの数であるＳＩＰサーバの跨り数が異なる場合、信号の方向が一致しない（逆方向である）場合等である。
【００４５】
同一又は類似でない場合、シーケンス作成部１０４は、エラー信号を既知のエラー信号として記憶装置１１０の既知エラー信号リストｄ３に追加するとともに、作成したシーケンス図を既知のシーケンスとして記憶装置１１０の既知シーケンスリストｄ４に追加する事象から除外する（Ｓ２８）。
【００４６】
また、シーケンス作成部１０４は、出力装置１３０に、該当のエラー信号及びエラー信号シーケンス図を表示する（Ｓ２９）。
【００４７】
［絞り込み処理］
図９を用いて、図８のステップＳ２２におけるシーケンス作成対象の呼を抽出する処理について説明する。シーケンス作成部１０４は、エラーデータＤ１のエラー信号リストｄ１において、同一時間帯（例えば、１時間以内等の所定時間内）に多量（例えば、１０以上等の所定数以上）のエラー信号が複数条件で発生しているか否かを判定し、同一時間帯に複数条件で発生したエラー信号は、対象外とする（Ｓ３１でＹＥＳ、Ｓ３２）。これは、ソフトウェアのエラーでなく、システムのハードウェアやネットワークの故障等に起因して発生している可能性があるためである。
【００４８】
また、シーケンス作成部１０４は、残ったエラー信号から、キャプチャ時に同一時間帯（例えば、１時間以内等の所定時間内）ではなく間隔をおいて同一条件で多量（例えば、１０以上等の所定数以上）に発生しているエラー信号の中がある場合、これらから１Ｃａｌｌのみ、すなわち、１つのエラー信号のみを選択してシーケンス作成の対象とし、その他は除外する（Ｓ３３でＹＥＳ、Ｓ３４）。
【００４９】
これにより、除外されなかったエラー信号が、対象となる（Ｓ３５）。
【００５０】
上述したように、実施形態に係る通信解析装置１０は、正常信号とエラー信号を含む大量の信号から、フィルタリング部１０２によってエラー信号のみを抽出し、エラー信号リストｄ１としている。また、一覧データ及びシーケンス図を作成する場合、これらを作成対象としている。このように、大量の信号から、解析に必要な信号を抽出することで、解析処理を容易にすることができる。
【００５１】
また、通信解析装置１０は、ＳＩＰサーバ３０ａ〜３０ｃ毎にシーケンス図を作成するのではなく、通信システムに含まれる全てのＳＩＰサーバ３０ａ〜３０ｃの信号を用いて１つのシーケンス図を作成する。したがって、複数のシーケンス図を組み合わせる必要もなく、通信システム全体の広範囲を対象として、容易に解析処理を実行することができる。
【００５２】
さらに、通信解析装置１０は、既知データＤ２に含まれるシーケンス図は表示及び記憶の対象外とする。したがって、既にエラーとして登録されている事象については、対象から除外することで、解析処理を利用した検証者の負担等を軽減させることができる。
【００５３】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。
【符号の説明】
【００５４】
１０  通信解析装置
１１０  ＣＰＵ
１０１  制御部
１０２  フィルタリング部（抽出部）
１０３  一覧表示部
１０４  シーケンス作成部
１１０  記憶装置
１２０  入力装置
１３０  出力装置
１４０  通信インタフェース
２０ａ，２０ｂ  端末
３０ａ〜３０ｃ  ＳＩＰサーバ（中継装置）
４０ａ〜４０ｃ  キャプチャデータベース
【図１】
0006040188.tif 000002
【図２】
0006040188.tif 000003
【図３】
0006040188.tif 000004
【図４】
0006040188.tif 000005
【図５】
0006040188.tif 000006
【図６】
0006040188.tif 000007
【図７】
0006040188.tif 000008
【図８】
0006040188.tif 000009
【図９】
0006040188.tif 000010
【図１０】
0006040188.tif 000011